(57)【要約】【課題】撮影画像であっても、撮影画像の画角外に構図を変更することができる撮像装置、表示方法およびプログラムを提供する。【解決手段】所定の視野領域から集光された光を受光して電子的な画像データを時間的に連続して生成する撮像素子６と、撮像素子６が生成した画像データを記録する記録媒体１７と、撮像素子６が生成した画像データに対応するライブビュー画像および／または記録媒体１７が記録した画像データに対応する撮影画像を表示可能な表示部１５と、撮影画像の一部を表示部１５に表示させた状態で、表示部１５の表示領域上の余白部分にライブビュー画像を表示部１５に表示させる表示制御部２３１と、を備える。【選択図】図２
2014093732.tif 000002
【特許請求の範囲】
【請求項１】
所定の視野領域から集光された光を受光して電子的な画像データを時間的に連続して生成する撮像部と、
前記撮像部が生成した前記画像データを記録する記録部と、
前記撮像部が生成した前記画像データに対応するライブビュー画像および／または前記記録部が記録した前記画像データに対応する撮影画像を表示可能な表示部と、
前記撮影画像の一部を前記表示部に表示させた状態で前記表示部の表示領域上の余白部分に前記ライブビュー画像を表示させる表示制御部と、
を備えたことを特徴とする撮像装置。
【請求項２】
前記表示部が表示する前記撮影画像の表示位置を指示する指示信号の入力を受け付ける入力部をさらに備え、
前記表示制御部は、前記入力部から入力される前記指示信号の表示位置に前記撮影画像を表示させることを特徴とする請求項１に記載の撮像装置。
【請求項３】
前記入力部は、前記表示部の表示画面上に重畳して設けられ、外部からの接触を検出し、この接触位置に応じた位置信号の入力を受け付けるタッチパネルを有し、
前記表示制御部は、前記タッチパネルが入力を受け付けた接触位置のスライドに対応する前記位置信号の時間変化に応じて、前記表示部における前記撮影画像の表示領域を変更して表示させることを特徴とする請求項２に記載の撮像装置。
【請求項４】
前記撮影画像と前記ライブビュー画像とを合成する画像合成部をさらに備え、
前記入力部は、当該撮像装置に撮影を指示するレリーズ信号の入力を受け付けるレリーズスイッチをさらに有し、
前記画像合成部は、前記レリーズスイッチから前記レリーズ信号が入力された場合、前記表示部が表示する前記撮影画像と前記ライブビュー画像とを合成した合成画像を生成することを特徴とする請求項３に記載の撮像装置。
【請求項５】
前記表示制御部は、前記撮影画像のうち前記ライブビュー画像と重なる領域を半透過させて前記ライブビュー画像に重畳して表示させることを特徴とする請求項１〜４のいずれか一つに記載の撮像装置。
【請求項６】
前記表示制御部は、前記撮影画像を半透過させるとともに、前記ライブビュー画像に重畳して前記表示部に表示させることを特徴とする請求項１〜４のいずれか一つに記載の撮像装置。
【請求項７】
前記記録部は、前記画像データと、該画像データを撮影した際の撮影条件に関する撮影情報とを対応付けて記録し、
当該撮像装置は、前記表示部が前記撮影画像を表示している際に、該撮影画像に対応付けられた前記撮影情報に基づいて、撮影を実行することを特徴とする請求項１〜６のいずれか一つに記載の撮像装置。
【請求項８】
所定の視野領域から集光された光を受光して電子的な画像データを時間的に連続して生成する撮像部と、前記撮像部が生成した前記画像データを記録する記録部と、前記撮像部が生成した前記画像に対応するライブビュー画像および／または前記記録部が記録した前記画像データに対応する撮影画像を表示可能な表示部と、を備えた撮像装置が実行する表示方法であって、
前記撮影画像の一部を前記表示部に表示させた状態で前記表示部の表示領域上の余白部分に前記ライブビュー画像を前記表示部に表示させる表示制御ステップを含むことを特徴とする表示方法。
【請求項９】
所定の視野領域から集光された光を受光して電子的な画像データを時間的に連続して生成する撮像部と、前記撮像部が生成した前記画像データを記録する記録部と、前記撮像部が生成した前記画像に対応するライブビュー画像および／または前記記録部が記録した前記画像データに対応する撮影画像を表示可能な表示部と、を備えた撮像装置に実行させるプログラムであって、
前記撮影画像の一部を前記表示部に表示させた状態で前記表示部の表示領域上の余白部分に前記ライブビュー画像を前記表示部に表示させる表示制御ステップを含むことを特徴とするプログラム。
【発明の詳細な説明】
【技術分野】
【０００１】
本発明は、被写体を撮像して該被写体の画像データを生成する撮像装置、表示方法およびプログラムに関する。
【背景技術】
【０００２】
近年、デジタルカメラ等の撮像装置において、撮像した画像データに対応する撮影画像に対して、ユーザが所望する構図になるようにトリミングを行って記録する技術が知られている（特許文献１参照）。この技術では、撮影した画像データに対して、入力部からの指示信号に応じた領域にトリミングを行ってトリミング画像データを生成し、このトリミング画像データを記録する。
【先行技術文献】
【特許文献】
【０００３】
【特許文献１】特開２００８−９２０４６号公報
【発明の概要】
【発明が解決しようとする課題】
【０００４】
しかしながら、上述した特許文献１では、撮影画像に対してトリミングを行っているため、撮影画像の画角内でしか構図を変更することができなかった。このため、撮影画像の画角外に構図を変更することができる技術が望まれていた。
【０００５】
本発明は、上記に鑑みてなされたものであって、撮影画像の画角外に構図を変更することができる撮像装置、表示方法およびプログラムを提供することを目的とする。
【課題を解決するための手段】
【０００６】
上述した課題を解決し、目的を達成するために、本発明にかかる撮像装置は、所定の視野領域から集光された光を受光して電子的な画像データを時間的に連続して生成する撮像部と、前記撮像部が生成した前記画像データを記録する記録部と、前記撮像部が生成した前記画像データに対応するライブビュー画像および／または前記記録部が記録した前記画像データに対応する撮影画像を表示可能な表示部と、前記撮影画像の一部を前記表示部に表示させた状態で前記表示部の表示領域上の余白部分に前記ライブビュー画像を表示させる表示制御部と、を備えたことを特徴とする。
【０００７】
また、本発明にかかる撮像装置は、上記発明において、前記表示部が表示する前記撮影画像の表示位置を指示する指示信号の入力を受け付ける入力部をさらに備え、前記表示制御部は、前記入力部から入力される前記指示信号の表示位置に前記撮影画像を表示させることを特徴とする。
【０００８】
また、本発明にかかる撮像装置は、上記発明において、前記入力部は、前記表示部の表示画面上に重畳して設けられ、外部からの接触を検出し、この接触位置に応じた位置信号の入力を受け付けるタッチパネルを有し、前記表示制御部は、前記タッチパネルが入力を受け付けた接触位置のスライドに対応する前記位置信号の時間変化に応じて、前記表示部における前記撮影画像の表示領域を変更して表示させることを特徴とする。
【０００９】
また、本発明にかかる撮像装置は、上記発明において、前記撮影画像と前記ライブビュー画像とを合成する画像合成部をさらに備え、前記入力部は、当該撮像装置に撮影を指示するレリーズ信号の入力を受け付けるレリーズスイッチをさらに有し、前記画像合成部は、前記レリーズスイッチから前記レリーズ信号が入力された場合、前記表示部が表示する前記撮影画像と前記ライブビュー画像とを合成した合成画像を生成することを特徴とする。
【００１０】
また、本発明にかかる撮像装置は、上記発明において、前記表示制御部は、前記撮影画像のうち前記ライブビュー画像と重なる領域を半透過させて前記ライブビュー画像に重畳して表示させることを特徴とする。
【００１１】
また、本発明にかかる撮像装置は、上記発明において、前記表示制御部は、前記撮影画像を半透過させるとともに、前記ライブビュー画像に重畳して前記表示部に表示させることを特徴とする。
【００１２】
また、本発明にかかる撮像装置は、上記発明において、前記記録部は、前記画像データと、該画像データを撮影した際の撮影条件に関する撮影情報とを対応付けて記録し、当該撮像装置は、前記表示部が前記撮影画像を表示している際に、該撮影画像に対応付けられた前記撮影情報に基づいて、撮影を実行することを特徴とする。
【００１３】
また、本発明にかかる表示方法は、所定の視野領域から集光された光を受光して電子的な画像データを時間的に連続して生成する撮像部と、前記撮像部が生成した前記画像データを記録する記録部と、前記撮像部が生成した前記画像に対応するライブビュー画像および／または前記記録部が記録した前記画像データに対応する撮影画像を表示可能な表示部と、を備えた撮像装置が実行する表示方法であって、前記撮影画像の一部を前記表示部に表示させた状態で前記表示部の表示領域上の余白部分に前記ライブビュー画像を前記表示部に表示させる表示制御ステップを含むことを特徴とする。
【００１４】
また、本発明にかかるプログラムは、所定の視野領域から集光された光を受光して電子的な画像データを時間的に連続して生成する撮像部と、前記撮像部が生成した前記画像データを記録する記録部と、前記撮像部が生成した前記画像に対応するライブビュー画像および／または前記記録部が記録した前記画像データに対応する撮影画像を表示可能な表示部と、を備えた撮像装置に実行させるプログラムであって、前記撮影画像の一部を前記表示部に表示させた状態で前記表示部の表示領域上の余白部分に前記ライブビュー画像を前記表示部に表示させる表示制御ステップを含むことを特徴とする。
【発明の効果】
【００１５】
本発明によれば、表示制御部が記録部によって記録された画像データに対応する撮影画像の一部を表示部に表示させた状態で、表示部の表示領域上の余白部分に撮像部によって時間的に連続的して生成されたライブビュー画像を表示部に表示させるので、撮影画像であっても、撮影画像の画角外に構図を変更することができる効果を奏する。
【図面の簡単な説明】
【００１６】
【図１】図１は、本発明の実施の形態１にかかる撮像装置のユーザに面する側の構成を示す斜視図である。
【図２】図２は、本発明の実施の形態１にかかる撮像装置の機能構成を示すブロック図である。
【図３】図３は、本発明の実施の形態１にかかる撮像装置が実行する処理の概要を示すフローチャートである。
【図４】図４は、本発明の実施の形態１にかかる撮像装置を用いて撮影する際の状況を模式的に示す図である。
【図５】図５は、図４の状況下で撮像装置１の表示部が表示する画像の一例を示す図である。
【図６】図６は、本発明の実施の形態１にかかる撮像装置の表示部が表示する画像の画面遷移の一例を示す図である。
【図７】図７は、本発明の実施の形態１にかかる撮像装置の表示部が表示する画像の画面遷移の別の一例を示す図である。
【図８】図８は、本発明の実施の形態１の変形例にかかる撮像装置の表示部が表示する画像の画面遷移の一例を示す図である。
【図９】図９は、本発明の実施の形態２にかかる撮像装置が実行する処理の概要を示すフローチャートである。
【図１０】図１０は、本発明の実施の形態２にかかる撮像装置の表示部が表示する画像の画面遷移の一例を示す図である。
【発明を実施するための形態】
【００１７】
以下、図面を参照して、本発明を実施するための形態（以下、「実施の形態」という）について説明する。なお、以下に説明する実施の形態によって本発明が限定されるものではない。さらに、図面の記載において、同一の部分には同一の符号を伏して説明する。
【００１８】
（実施の形態１）
図１は、本発明の実施の形態１にかかる撮像装置のユーザに面する側（背面側）の構成を示す斜視図である。図２は、本発明の実施の形態１にかかる撮像装置の機能構成を示すブロック図である。図１および図２に示す撮像装置１は、本体部２と、本体部２に着脱自在なレンズ部３と、を備える。
【００１９】
本体部２は、シャッタ４と、シャッタ駆動部５と、撮像素子６と、撮像素子駆動部７と、信号処理部８と、Ａ／Ｄ変換部９と、画像処理部１０と、ＡＥ処理部１１と、ＡＦ処理部１２と、画像圧縮展開部１３と、入力部１４と、表示部１５と、表示駆動部１６と、記録媒体１７と、メモリＩ／Ｆ１８と、ＳＤＲＡＭ（Synchronous  Dynamic  Random  Access  Memory）１９と、Ｆｌａｓｈメモリ２０と、本体通信部２１と、バス２２と、制御部２３と、を備える。
【００２０】
シャッタ４は、撮像素子６の状態を露光状態または遮光状態に設定する。シャッタ駆動部５は、ステッピングモータやＤＣモータ等を用いて構成され、制御部２３から入力される指示信号に応じてシャッタ４を駆動する。
【００２１】
撮像素子６は、レンズ部３が集光した光を受光して電気信号に変換するＣＣＤ（Charge  Coupled  Device）またはＣＭＯＳ（Complementary  Metal  Oxide  Semiconductor）等を用いて構成され、被写体の画像データを時間的に連続して生成する。撮像素子駆動部７は、所定のタイミングで撮像素子６から画像データ（アナログ信号）を信号処理部８に出力させる。この意味で、撮像素子駆動部７は、電子シャッタとして機能する。なお、本実施の形態１では、撮像素子６が撮像部として機能する。
【００２２】
信号処理部８は、撮像素子６から入力される画像データに対して、アナログ処理を施してＡ／Ｄ変換部９に出力する。具体的には、信号処理部８は、画像データに対して、ノイズ低減処理およびゲインアップ処理等を行う。
【００２３】
Ａ／Ｄ変換部９は、信号処理部８から入力されるアナログ信号に対してＡ／Ｄ変換を行うことによってデジタルの画像データを生成し、バス２２を介してＳＤＲＡＭ１９に出力する。
【００２４】
画像処理部１０は、バス２２を介してＳＤＲＡＭ１９から画像データを取得し、取得した画像データ（ＲＡＷデータ）に対して各種の画像処理を行って処理画像データを生成する。この処理画像データは、バス２２を介してＳＤＲＡＭ１９に出力される。また、画像処理部１０は、画像合成部１０１を有する。
【００２５】
画像合成部１０１は、記録媒体１７が記録する画像データに対応する撮影画像と撮像素子６が生成した画像データに対応するライブビュー画像とを合成して合成画像データを生成し、この合成画像データをＳＤＲＡＭ１９または記録媒体１７に出力する。
【００２６】
ＡＥ処理部１１は、バス２２を介してＳＤＲＡＭ１９に記録された画像データを取得し、取得した画像データに基づいて、静止画撮影または動画撮影を行う際の露出条件を設定する。具体的には、ＡＥ処理部１１は、画像データから輝度を算出し、算出した輝度に基づいて、たとえば絞り値（Ｆ値）の設定値、シャッタ速度等を決定することで撮像装置１の自動露出を行う。
【００２７】
ＡＦ処理部１２は、バス２２を介してＳＤＲＡＭ１９に記録された画像データを取得し、取得した画像データに基づいて、撮像装置１の自動焦点の調整を行う。たとえば、ＡＦ処理部１２は、画像データから高周波成分の信号を取り出し、高周波成分の信号に対してＡＦ（Auto  Focus）演算処理を行うことによって、撮像装置１の合焦評価を決定することで撮像装置１の自動焦点の調整を行う。
【００２８】
画像圧縮展開部１３は、バス２２を介してＳＤＲＡＭ１９から画像データを取得し、取得した画像データに対して所定の形式に従って圧縮し、この圧縮した画像データをＳＤＲＡＭ１９に出力する。ここで、所定の形式としては、ＪＰＥＧ（Joint  Photographic  Experts  Group）方式、ＭｏｔｉｏｎＪＰＥＧ方式およびＭＰ４（Ｈ．２６４）方式等である。また、画像圧縮展開部１３は、バス２２およびメモリＩ／Ｆ１８を介して記録媒体１７に記録された画像データ（圧縮画像データ）を取得し、取得した画像データを展開（伸長）してＳＤＲＡＭ１９に出力する。
【００２９】
入力部１４は、撮像装置１の電源状態をオン状態またはオフ状態に切り換える電源スイッチ１４１と、静止画撮影の指示を与える静止画レリーズ信号の入力を受け付けるレリーズスイッチ１４２と、記録媒体１７が記録する画像データを削除する削除信号の入力を受け付ける削除スイッチ１４３と、撮像装置１の各種設定を切り換える操作スイッチ１４４と、撮像装置１の各種設定を表示部１５に表示させるメニュースイッチ１４５と、記録媒体１７に記録された画像データに対応する画像を表示部１５に表示させる再生スイッチ１４６と、動画撮影の指示を与える動画レリーズ信号の入力を受け付ける動画スイッチ１４７と、外部からの接触を検出し、この検出した位置に応じた位置信号の入力を受け付けるタッチパネル１４８と、を有する。
【００３０】
レリーズスイッチ１４２は、外部からの押圧により進退可能であり、半押しされた場合に撮影準備動作を指示するファーストレリーズ信号（以下、「１ｓｔレリーズ」という）の入力を受け付ける一方、全押しされた場合に静止画撮影を指示するセカンドレリーズ信号（以下、「２ｎｄレリーズ」という）の入力を受け付ける。操作スイッチ１４４は、メニュー画面等における選択設定を行う上下左右の各方向スイッチ１４４ａ〜１４４ｄと、メニュー画面等における各方向スイッチ１４４ａ〜１４４ｄによる操作を決定する決定スイッチ１４４ｅ（ＯＫスイッチ）とを有する（図１を参照）。なお、操作スイッチ１４４は、ダイヤルスイッチ等を用いて構成してもよい。
【００３１】
タッチパネル１４８は、表示部１５の表示領域に重畳して設けられ、外部からの物体のタッチを検出し、この検出したタッチ位置に応じた位置信号（座標位置を示す信号）を制御部２３に出力する。また、タッチパネル１４８は、ユーザが表示部１５で表示される情報、たとえばアイコン画像やサムネイル画像に基づいてタッチした位置（座標位置）を検出し、この検出したタッチ位置に応じて撮像装置１が行う動作を指示する指示信号や画像を選択する選択信号の入力を受け付けてもよい。一般に、タッチパネル１４８としては、抵抗膜方式、静電容量方式および光学方式等がある。本実施の形態１では、いずれの方式のタッチパネルであっても適用可能である。
【００３２】
表示部１５は、液晶または有機ＥＬ（Electro  Luminescence）等からなる表示パネルを用いて構成され、撮像素子６が生成した画像データに対応するライブビュー画像および／または記録媒体１７が記録する画像データに対応する撮影画像を表示する。表示駆動部１６は、バス２２を介してＳＤＲＡＭ１９に記録された画像データまたは記録媒体１７に記録された画像データを取得し、取得した画像データに対応する撮影画像を表示部１５に表示させる。ここで、画像の表示には、撮影直後の画像データを所定時間（たとえば３秒間）だけ表示するレックビュー表示、記録媒体１７に記録された画像データを再生する再生表示、および撮像素子６が連続的に生成する画像データに対応するライブビュー画像を時系列に沿って順次表示するライブビュー表示等が含まれる。また、表示部１５は、撮像装置１の操作情報および撮影に関する情報を適宜表示する。
【００３３】
記録媒体１７は、撮像装置１の外部から装着されるメモリカード等を用いて構成される。記録媒体１７は、メモリＩ／Ｆ１８を介して撮像装置１に着脱自在に装着される。記録媒体１７は、画像処理部１０や画像圧縮展開部１３が処理を施した画像データを記録する、または記録媒体１７に記録された画像データを出力する。また、記録媒体１７は、制御部２３の制御のもと、メモリＩ／Ｆ１８およびバス２２を介して撮像プログラムおよび各種情報それぞれをＦｌａｓｈメモリ２０に出力してもよい。なお、本実施の形態１では、記録媒体１７が記録部として機能する。
【００３４】
ＳＤＲＡＭ１９は、揮発メモリを用いて構成される。ＳＤＲＡＭ１９は、バス２２を介してＡ／Ｄ変換部９から入力される画像データ、画像処理部１０から入力される画像データおよび撮像装置１の処理中の情報を一時的に記録する。たとえば、ＳＤＲＡＭ１９は、信号処理部８、Ａ／Ｄ変換部９およびバス２２を介して撮像素子６が１フレーム毎に順次出力する画像データを一時的に記録する。
【００３５】
Ｆｌａｓｈメモリ２０は、不揮発性メモリを用いて構成される。Ｆｌａｓｈメモリ２０は、プログラム記録部２０１を有する。プログラム記録部２０１は、撮像装置１を動作させるための各種プログラム、撮像プログラムおよびプログラムの実行中に使用される各種データおよび画像処理部１０による画像処理の動作に必要な各画像処理のパラメータ等を記録する。
【００３６】
本体通信部２１は、本体部２に装着されるレンズ部３との通信を行うための通信インターフェースである。
【００３７】
バス２２は、撮像装置１の各構成部位を接続する伝送路等を用いて構成される。バス２２は、撮像装置１の内部で発生した各種データを撮像装置１の各構成部位に転送する。
【００３８】
制御部２３は、ＣＰＵ（Central  Processing  Unit）等を用いて構成され、バス２２を介して入力部１４からの指示信号またはレリーズ信号に応じて撮像装置１を構成する各部に対応する指示やデータの転送等を行って撮像装置１の動作を統括的に制御する。制御部２３は、２ｎｄレリーズが入力された場合、撮像装置１における撮影動作を開始する制御を行う。ここで、撮像装置１における撮影動作とは、シャッタ駆動部５および撮像素子駆動部７の駆動によって撮像素子６が出力した画像データに対し、信号処理部８、Ａ／Ｄ変換部９および画像処理部１０が所定の処理を施す動作をいう。このように処理が施された画像データは、制御部２３の制御のもと、画像圧縮展開部１３で圧縮され、バス２２およびメモリＩ／Ｆ２０を介して記録媒体１７に記録される。
【００３９】
制御部２３の詳細な構成について説明する。制御部２３は、表示制御部２３１を有する。表示制御部２３１は、表示部１５の表示態様を制御する。具体的には、表示制御部２３１は、表示駆動部１６を駆動し、画像処理部１０が画像処理を施した画像データに対応するライブビュー画像を表示部１５に表示させる。また、表示制御部２３１は、記録媒体１７が記録する画像データに対応する撮影画像の一部を表示部１５に表示させた状態で、表示部１５の表示領域上の余白部分に撮像素子６によって生成された画像データに対応するライブビュー画像を表示部１５に表示させる。また、表示制御部２３１は、タッチパネル１４８から入力される位置信号に応じた表示部１５の表示位置に撮影画像を表示部１５に表示させる。さらに、表示制御部２３１は、タッチパネル１４８が入力を受け付けた接触位置のスライドに対応する位置信号の時間変化に応じて、表示部１５における撮影画像の表示領域を変更して表示部１５に表示させる。
【００４０】
以上の構成を有する本体部２に対して、音声入出力機能、フラッシュ機能および電子ビューファインダ（ＥＶＦ）等を具備させてもよい。
【００４１】
レンズ部３は、光学系３１と、レンズ駆動部３２と、絞り３３と、絞り駆動部３４と、レンズ操作部３５と、レンズＦｌａｓｈメモリ３６と、レンズ通信部３７と、レンズ制御部３８と、を備える。
【００４２】
光学系３１は、一または複数のレンズを用いて構成され、所定の視野領域から光を集光する。光学系３１は、画角を変化させる光学ズーム機能および焦点を変化させるフォーカス機能を有する。レンズ駆動部３２は、ＤＣモータまたはステッピングモータ等を用いて構成され、光学系３１のレンズを光軸Ｌ上で移動させることにより、光学系３１のピント位置や画角等の変更を行う。
【００４３】
絞り３３は、光学系３１が集光した光の入射量を制限することにより露出の調整を行う。絞り駆動部３４は、ステッピングモータ等を用いて構成され、絞り３３を駆動する。
【００４４】
レンズ操作部３５は、図１に示すように、レンズ部３のレンズ鏡筒の周囲に設けられるリングであり、レンズ部３における光学ズームの操作を開始する操作信号の入力、またはレンズ部３におけるピント位置の調整を指示する指示信号の入力を受け付ける。なお、レンズ操作部３５は、プッシュ式のスイッチ等であってもよい。
【００４５】
レンズＦｌａｓｈメモリ３６は、光学系３１の位置および動きそれぞれを決定するための制御用プログラム、光学系３１のレンズ特性および各種パラメータを含むレンズ情報を記録する。
【００４６】
レンズ通信部３７は、レンズ部３が本体部２に装着されたときに、本体部２の本体通信部２１と通信を行うための通信インターフェースである。
【００４７】
レンズ制御部３８は、ＣＰＵ等を用いて構成される。レンズ制御部３８は、レンズ操作部３５の操作信号または本体部２からの指示信号に応じてレンズ部３の動作を制御する。具体的には、レンズ制御部３８は、レンズ操作部３５の操作信号に応じて、レンズ駆動部３２を駆動させてレンズ部３のピント合わせやズーム変更を行うとともに、絞り駆動部３４を駆動させて絞り値の変更を行う。なお、レンズ制御部３８は、レンズ部３が本体部２に装着された際に、レンズ部３のピント位置情報、焦点距離およびレンズ部３を識別する固有情報等を本体部２に送信するようにしてもよい。
【００４８】
以上のように構成された撮像装置１が行う処理について説明する。図３は、撮像装置１が実行する処理の概要を示すフローチャートである。
【００４９】
図３において、まず、撮像装置１が撮影モードに設定されている場合（ステップＳ１０１：Ｙｅｓ）について説明する。この場合、制御部２３は、バス２２、本体通信部２１およびレンズ通信部３７を介して、レンズ部３とレンズ通信を開始する（ステップＳ１０２）。具体的には、制御部２３は、レンズ部３のレンズＦｌａｓｈメモリ３６からレンズ情報、光学系３１の現在の焦点距離、ピントおよび絞り３３の絞り値等を所定の周期毎に取得する。
【００５０】
続いて、表示制御部２３１は、撮像素子６が連続的に生成するライブビュー画像データに対応するライブビュー画像を時系列に沿って表示部１５に順次表示させる（ステップＳ１０３）。具体的には、図４に示すように、ユーザが撮像装置１を用いて被写体Ｐ１および被写体Ｐ２を含むように撮影している場合、表示制御部２３１は、撮像素子６が生成したライブビュー画像Ｗ１を表示部１５に表示させる（図５を参照）。このとき、ユーザは、撮像装置１の画角（視野領域）を被写体Ｐ１の移動に合わせて、被写体Ｐ１の移動方向に撮像装置１の画角を変えながら撮影するので、一緒に写したかった被写体、たとえば被写体Ｐ２が撮像装置１の画角内に入らないことがあり、ユーザがイメージした構図と異なってしまう場合がある。
【００５１】
その後、制御部２３は、分割撮影の１枚目であるか否かを判断する（ステップＳ１０４）。具体的には、制御部２３は、表示部１５がライブビュー画像Ｗ１上に重畳して表示した分割撮影を指示する指示信号の入力を受け付けるアイコンがタッチされることにより、タッチパネル１４８からアイコンの表示領域に対応する位置信号が入力されたか否かを判断する。制御部２３が分割撮影の１枚目であると判断した場合（ステップＳ１０４：Ｙｅｓ）、撮像装置１は、後述するステップＳ１０５へ移行する。これに対して、制御部２３が分割撮影の１枚目でないと判断した場合（ステップＳ１０４：Ｎｏ）、撮像装置１は、後述するステップＳ１１０へ移行する。
【００５２】
ステップＳ１０５において、表示制御部２３１は、表示部１５が画像を表示する表示領域を分割し、分割した領域にライブビュー画像Ｗ１を表示させる。具体的には、図６（ａ）に示すように、表示制御部２３１は、表示部１５の表示領域を分割し、分割した１つの表示領域にライブビュー画像Ｗ１を表示する。
【００５３】
続いて、レリーズスイッチ１４２から２ｎｄレリーズが入力された場合（ステップＳ１０６：Ｙｅｓ）、撮像装置１は、撮影を行い（ステップＳ１０７）、撮影した画像データをＳＤＲＡＭ１９に仮記録する（ステップＳ１０８）。この場合、撮像装置１は、画像データと、この画像データを撮影した際の撮影条件に関する撮影情報とを対応付けてＳＤＲＡＭ１９に仮記録する。ここで、撮影情報とは、画像データサイズ、アスペクト情報、圧縮方式、焦点距離、シャッタスピード、露出情報、Ｆ値、ＩＳＯ感度、色空間（カラースペース）、ホワイトバランス情報およびサムネイル画像データ等を含むＥｘｉｆ形式のＥｘｉｆ情報である。
【００５４】
その後、表示制御部２３１は、ユーザが表示部１５にタッチしたタッチ位置に、撮影した画像データに対応する撮影画像である静止画像をレックビュー表示する（ステップＳ１０９）。具体的には、図６（ｂ）に示すように、表示制御部２３１は、タッチパネル１４８から入力される位置信号に基づいて、ユーザが表示部１５にタッチしたタッチ位置に静止画像Ｗ２をレックビュー表示する。
【００５５】
続いて、分割撮影の２枚目の場合（ステップＳ１１０：Ｙｅｓ）、表示制御部２３１は、２枚目の静止画像を貼り付けるため、レックビュー表示した静止画像Ｗ２の一部を半透過させた糊代部Ｌ１を表示させる（ステップＳ１１１）。具体的には、図６（ｂ）に示すように、表示制御部２３１は、静止画像Ｗ２のうちライブビュー画像Ｗ１と重なる領域を半透過にして糊代部Ｌ１として表示させる。なお、表示制御部２３１は、静止画像Ｗ２の表示位置に応じて、糊代部Ｌ１の表示位置および幅を変更してもよい。たとえば、表示制御部２３１は、静止画像Ｗ２が表示部１５の表示領域において左側に表示されている場合、糊代部Ｌ１を右側に表示させてもよい。ここで、糊代部Ｌ１とは、静止画像Ｗ２の各画素に対して、所定のゲイン（１００−透明度）を乗算したものである。
【００５６】
その後、表示制御部２３１は、表示部１５の表示領域を分割した他方に、撮像素子６が生成したライブビュー画像データに対応するライブビュー画像を表示させるとともに、静止画像Ｗ２の糊代部Ｌ１をライブビュー画像の一端に重畳させて表示させる（ステップＳ１１２）。具体的には、図６（ｃ）に示すように、表示制御部２３１は、表示部１５の他方の表示領域にライブビュー画像Ｗ１を表示させるとともに、静止画像Ｗ１の糊代部Ｌ１をライブビュー画像Ｗ１の一端に重畳させて表示させる。これにより、ユーザは、静止画像Ｗ２とライブビュー画像Ｗ１との境界を直感的に把握することができる。この結果、ユーザは、表示部１５が他方の領域に表示されるライブビュー画像Ｗ１を、静止画像Ｗ２の糊代部Ｌ１に合わせることによって、静止画像Ｗ２およびライブビュー画像Ｗ１の繋ぎ目の位置合わせを容易に行うことができる。
【００５７】
続いて、レリーズスイッチ１４２から２ｎｄレリーズが入力された場合（ステップＳ１１３：Ｙｅｓ）、撮像装置１は、撮影を行う（ステップＳ１１４）。この場合、撮像装置１は、静止画像Ｗ２に対応付けられたＥｉｘｆ情報に基づいて、撮影を行う。
【００５８】
その後、表示制御部２３１は、画像合成部１０１が１枚目の静止画像Ｗ２の糊代部Ｌ１に、２枚目の静止画像を重畳して合成した合成画像データに対応する合成画像を表示部１５にレックビュー表示させる（ステップＳ１１５）。具体的には、図６（ｄ）に示すように、表示制御部２３１は、画像合成部１０１が１枚目の静止画像Ｗ２の糊代部Ｌ１に、２枚目の静止画像（図６（ｃ）のライブビュー画像Ｗ１に対応）の一端を重なるように合成して生成した合成画像データに対応する合成画像Ｗ３を表示部１５に表示させる。この場合、画像合成部１０１は、１枚目の静止画像Ｗ２と２枚目の静止画像とのつなぎ目を滑らかにするため、たとえば周知技術のパノラマ画像合成技術を用いて糊代部Ｌ１の静止画像Ｗ２と２枚目の静止画像それぞれの画像データの輝度値および色調等の画像情報を平均化することによって、合成画像Ｗ３を生成する。これにより、１枚目の静止画像Ｗ２と２枚目の静止画像との境界が滑らかになった合成画像Ｗ３を生成することができる。なお、画像合成部１０１は、静止画像Ｗ２のアスペクトになるように合成画像Ｗ３のアスペクトを調整してもよい。この場合、画像合成部１０１は、合成画像Ｗ３に含まれる輝度値の分布に応じて良好な構図、たとえば被写体Ｐ１と被写体Ｐ２とが含まれるように合成画像Ｗ３のアスペクトを静止画像Ｗ２のアスペクトに調整して合成画像Ｗ３を生成する。
【００５９】
続いて、操作スイッチ１４４のＯＫボタン１４４ｅが操作された場合（ステップＳ１１６：Ｙｅｓ）、制御部２３は、表示部１５が表示する合成画像Ｗ３に対応する合成画像データを記録媒体１７に記録する（ステップＳ１１７）。
【００６０】
電源スイッチ１４１が操作されて撮影を終了する場合（ステップＳ１１８：Ｙｅｓ）、撮像装置１は、本処理を終了する。これに対して、電源スイッチ１４１が操作されず、撮影を終了しない場合（ステップＳ１１８：Ｎｏ）、撮像装置１は、ステップＳ１０１へ戻る。
【００６１】
ステップＳ１１６において、操作スイッチ１４４のＯＫボタン１４４ｅが操作されていない場合（ステップＳ１１６：Ｎｏ）、撮像装置１は、ステップＳ１１９へ移行する。
【００６２】
続いて、分割撮影の２枚目を撮影中止する場合（ステップＳ１１９：Ｙｅｓ）、制御部２３は、撮像装置１に設定された内容に応じて、ＳＤＲＡＭ１９に記録された静止画像Ｗ１に対応する静止画像データを消去または記録媒体１７に記録する（ステップＳ１２０）。ステップＳ１２０の後、撮像装置１は、ステップＳ１１８へ移行する。これに対して、分割撮影の２枚目を撮影中止しない場合（ステップＳ１１９：Ｎｏ）、撮像装置１は、ステップＳ１１８へ移行する。
【００６３】
ステップＳ１０６において、２ｎｄレリーズがない場合（ステップＳ１０６：Ｎｏ）、ステップＳ１１３において、２ｎｄレリーズがない場合（ステップＳ１１３：Ｎｏ）、撮像装置１は、ステップＳ１１８へ移行する。
【００６４】
ステップＳ１１０において、分割撮影の２枚目でない場合（ステップＳ１１０：Ｎｏ）において、２ｎｄレリーズが入力されたとき（ステップＳ１２１：Ｙｅｓ）、撮像装置１は、撮影を行う（ステップＳ１２２）。
【００６５】
続いて、制御部２３は、撮像素子６が生成した画像データをＳＤＲＡＭ１９に仮記録する（ステップＳ１２３）。
【００６６】
その後、表示制御部２３１は、表示部１５が表示するライブビュー画像上に、撮影した画像データに対応するサムネイル画像を縮小してレックビュー表示させる（ステップＳ１２４）。具体的には、図７（ａ）に示すように、表示制御部２３１は、表示部１５が表示するライブビュー画像Ｗ４上に、サムネイル画像Ｗ５を縮小してレックビュー表示させる。
【００６７】
続いて、タッチパネル１４８を介してサムネイル画像Ｗ５が移動した場合（ステップＳ１２５：Ｙｅｓ）、表示制御部２３１は、表示部１５の表示領域を分割して、一方にサムネイル画像Ｗ５を拡大して表示し、他方にライブビュー画像Ｗ４を表示させる（ステップＳ１２６）。具体的には、図７に示すように、タッチパネル１４８を介してサムネイル画像Ｗ５が移動させられた場合（図７（ｂ））、表示制御部２３１は、表示部１５の表示領域を分割して、一方にサムネイル画像Ｗ５を表示し、他方にライブビュー画像Ｗ４を表示させる（図７（ｃ））。この場合、表示制御部２３１は、サムネイル画像Ｗ５の表示位置に応じて、サムネイル画像Ｗ５のうちライブビュー画像Ｗ１と重なる領域に半透過することによって糊代部Ｌ１を表示させる。ステップＳ１２６の後、撮像装置１は、ステップＳ１１３へ移行する。
【００６８】
ステップＳ１２５において、タッチパネル１４８を介してサムネイル画像Ｗ５が移動していない場合（ステップＳ１２５：Ｎｏ）、制御部２３は、サムネイル画像Ｗ５に対応する画像データを記録媒体１７に記録する（ステップＳ１２７）。ステップＳ１２７の後、撮像装置１は、ステップＳ１１８へ移行する。
【００６９】
ステップＳ１２１において、レリーズスイッチ１４２が操作されず、撮影を行わない場合（ステップＳ１２１：Ｎｏ）、撮像装置１は、ステップＳ１１８へ移行する。
【００７０】
ステップＳ１０１において、撮像装置１が撮影モードに設定されておらず（ステップＳ１０１：Ｎｏ）、撮像装置１が再生モードに設定されている場合（ステップＳ１２８：Ｙｅｓ）、表示制御部２３１は、記録媒体１７に記録された画像データを再生する再生処理を実行する（ステップＳ１２９）。ステップＳ１２９の後、撮像装置１は、ステップＳ１１８へ移行する。
【００７１】
ステップＳ１０１において、撮像装置１が撮影モードに設定されておらず（ステップＳ１０１：Ｎｏ）、撮像装置１が再生モードに設定されていない場合（ステップＳ１２８：Ｎｏ）、撮像装置１は、ステップＳ１１８へ移行する。
【００７２】
以上説明した本発明の実施の形態１によれば、表示制御部２３１が記録媒体１７によって記録された画像データに対応する撮影画像である静止画像の一部を表示部１５に表示させた状態で、表示部１５の表示領域上の余白部分に撮像素子６によって時間的に連続して生成されたライブビュー画像を表示部１５に表示させるので、撮影画像の画角外であっても、撮影した画像の構図を変更することができる。
【００７３】
また、本発明の実施の形態１によれば、表示制御部２３１がタッチパネル１４８から入力される位置信号の位置に静止画像Ｗ２を表示するので、ユーザが直感的な操作で撮影した画像の構図の変更を行うことができる。
【００７４】
また、本発明の実施の形態１によれば、表示制御部２３１が静止画像Ｗ２の一部を半透過にして表示部１５に表示させるとともに、この半透過させた糊代部Ｌ１をライブビュー画像Ｗ１に重畳して表示部１５に表示させる。これにより、ユーザは、表示部１５で表示する画像を見ながら静止画像Ｗ２とライブビュー画像Ｗ１との境界を容易に繋ぎ合わせて撮影することができる。
【００７５】
また、本発明の実施の形態１では、分割撮影（繋ぎ撮影）を行う場合に、表示部１５の表示領域を予め２分割にしてユーザに選択可能に表示させてもよい。図８は、本実施の形態１の変形例にかかる撮像装置１の表示部１５が表示する画像の画面遷移の一例を示す図である。図８に示すように、表示制御部２３１は、表示部１５にライブビュー画像Ｗ１を表示させている場合（図８（ａ））において、入力部１４から分割撮影を指示する指示信号が入力されたとき、表示部１５の表示領域を２分割にして、両方に同じ画角の画像Ｗ６および画像Ｗ７を表示させる（図８（ｂ））。その後、表示制御部２３１は、タッチパネル１４８から入力される位置信号に応じて、一方の画像、たとえば画像Ｗ６を選択して表示部１５に表示させるとともに、画像Ｗ６の一部を半透過させた糊代部Ｌ１をライブビュー画像Ｗ１に重畳して表示部１５に表示させる（図８（ｃ））。これにより、直感的な操作で構図の変更を行うことができる。
【００７６】
（実施の形態２）
つぎに、本発明の実施の形態２について説明する。本実施の形態２にかかる撮像装置は、上述した実施の形態１にかかる撮像装置１と同様の構成を有し、実行する処理が異なる。このため、以下においては、本実施の形態２にかかる撮像装置が実行する処理について説明する。なお、上述した実施の形態１にかかる撮像装置１と同様の構成には同一の符号を付して説明する。
【００７７】
図９は、本実施の形態２にかかる撮像装置１が実行する処理の概要を示すフローチャートである。図１０は、表示部１５が表示する画像の画面遷移の一例を示す図である。
【００７８】
図９に示すように、まず、撮像装置１が撮影モードに設定されている場合（ステップＳ２０１：Ｙｅｓ）について説明する。この場合、表示制御部２３１は、撮像素子６が連続的に生成する画像データに対応するライブビュー画像を表示部１５に表示させる（ステップＳ２０２）。具体的には、図１０（ａ）に示すように、表示制御部２３１は、ライブビュー画像Ｗ１０を表示部１５に表示させる。
【００７９】
続いて、レリーズスイッチ１４２から２ｓｔレリーズ信号が入力された場合（ステップＳ２０３：Ｙｅｓ）、撮像装置１は、撮影を行う（ステップＳ２０４）。
【００８０】
その後、制御部２３は、記録媒体１７に画像データを記録する（ステップＳ２０５）。この際、制御部２３は、画像データとＥｘｉｆ情報とを対応付けてＥｘｉｆ形式で記録媒体１７に記録する。
【００８１】
続いて、表示制御部２３１は、撮影した画像データに対応する静止画像を表示部１５にレックビュー表示させる（ステップＳ２０６）。具体的には、図１０（ｂ）に示すように、表示制御部２３１は、撮影した画像データに対応する撮影画像として静止画像Ｗ２０を表示部１５にレックビュー表示させる。この際、表示制御部２３１は、静止画像Ｗ２０上に、トリミングを指示する指示信号の入力を受け付けるトリミングアイコンＡ１および構図の編集を指示する指示信号の入力を受け付ける構図編集アイコンＡ２を表示部１５に表示させる。
【００８２】
続いて、構図編集アイコンＡ２がタッチされた場合（ステップＳ２０７：Ｙｅｓ）、撮像装置１は、後述するステップＳ２０９へ移行する。これに対して、構図編集アイコンＡ２がタッチされてない場合（ステップＳ２０７：Ｎｏ）、撮像装置１は、後述するステップＳ２０８へ移行する。
【００８３】
ステップＳ２０８において、電源スイッチ１４１が操作されて、撮像装置１が撮影を終了する場合（ステップＳ２０８：Ｙｅｓ）、撮像装置１は、本処理を終了する。これに対して、電源スイッチ１４１が操作されず、撮像装置１が撮影を終了しない場合（ステップＳ２０８：Ｎｏ）、撮像装置１は、ステップＳ２０１へ戻る。
【００８４】
ステップＳ２０９において、制御部２３は、記録媒体１７から１枚目の画像データのＥｘｉｆ情報を取得する。
【００８５】
続いて、表示制御部２３１は、再生画像を半透過にして表示部１５に表示させる（ステップＳ２１０）。具体的には、図１０（ｃ）に示すように、表示制御部２３１は、静止画像Ｗ２１を半透過にして表示部１５に表示させる。これにより、ユーザは、構図を変更する際に直感的に所望の構図を把握することができる。なお、図１０においては、半透過を点線で表現した。
【００８６】
その後、表示制御部２３１は、撮像素子６が生成した画像データに対応するライブビュー画像に静止画像Ｗ２１を重畳させて表示部１５に表示させる（ステップＳ２１１）。
【００８７】
その後、タッチパネル１４８を介して表示部１５が表示する静止画像Ｗ２１に対して、タッチ操作が行われた場合（ステップＳ２１２：Ｙｅｓ）、表示制御部２３１は、タッチ位置に応じて静止画像Ｗ２１の表示領域を変更して表示させるとともに（ステップＳ２１３）、表示部１５の表示領域の余白部分にライブビュー画像を表示させる（ステップＳ２１４）。具体的には、図１０に示すように、表示制御部２３１は、タッチ位置に応じて静止画像Ｗ２１の表示領域を変更して表示させるとともに（図１０（ｄ））、表示部１５の表示領域の余白部分Ｂ１１にライブビュー画像Ｗ１０を表示させる（図１０（ｅ））。これにより、ユーザは、静止画像Ｗ２１とライブビュー画像Ｗ１０との境界を直感的に把握することができる。ステップＳ２１４の後、撮像装置１は、ステップＳ２１２へ戻る。
【００８８】
ステップＳ２１２において、タッチパネル１４８を介して表示部１５が表示する静止画像Ｗ２１に対して、タッチ操作が行われていない場合（ステップＳ２１２：Ｎｏ）において、１ｓｔレリーズが入力されたとき（ステップＳ２１５：Ｙｅｓ）、制御部２３は、１枚目のＥｘｉｆ情報に基づいて、ＡＥ処理部１１およびＡＦ処理部１２それぞれを制御することによって、ＡＥ処理およびＡＦ処理を行わせて撮影を実行する（ステップＳ２１６）。
【００８９】
続いて、制御部２３は、撮影した画像データをＳＤＲＡＭ１９に仮記録する（ステップＳ２１７）。
【００９０】
その後、画像合成部１０１は、１枚目の画像データに、２枚目の画像データを合成して合成画像データを生成する合成処理を実行し（ステップＳ２１８）、表示部１５の表示領域の枠外の部分をカットして１枚の画像データを生成する（ステップＳ２１９）。具体的には、画像合成部１０１は、設定されたアスペクトになるように１枚の画像データを生成する。
【００９１】
続いて、表示制御部２３１は、画像合成部１０１によって生成された１枚の画像データに対応する画像を表示部１５にレックビュー表示させる（ステップＳ２２０）。具体的には、図１０（ｆ）に示すように、表示制御部２３１は、画像合成部１０１によって生成された１枚の画像データに対応する画像Ｗ３０を表示部１５に表示させる。ステップＳ２２０の後、撮像装置１は、ステップＳ２０８へ移行する。
【００９２】
ステップＳ２１５において、１ｓｔレリーズ信号が入力されていない場合（ステップＳ２１５：Ｎｏ）において、所定時間、たとえば１０秒が経過しているとき（ステップＳ２２１：Ｙｅｓ）、撮像装置１は、ステップＳ２０８へ移行する。これに対して、所定時間が経過していないとき（ステップＳ２２１：Ｎｏ）、撮像装置１は、ステップＳ２１２へ戻る。
【００９３】
ステップＳ２０３において、２ｎｄレリーズが入力されていない場合（ステップＳ２０３：Ｎｏ）、撮像装置１は、ステップＳ２０１へ戻る。
【００９４】
ステップＳ２０１において、撮像装置１が撮影モードに設定されていない場合（ステップＳ２０１：Ｎｏ）において、撮像装置１が再生モードに設定されているとき（ステップＳ２２２：Ｙｅｓ）、表示制御部２３１は、記録媒体１７が記録する画像データに対応する再生画像を表示部１５に表示させる（ステップＳ２２３）。
【００９５】
続いて、タッチパネル１４８を介して表示部１５が表示する再生画像に対して、タッチ操作が行われた場合（ステップＳ２２４：Ｙｅｓ）、撮像装置１は、ステップＳ２０９へ移行する。これに対して、タッチパネル１４８を介して表示部１５が表示する再生画像に対して、タッチ操作が行われていない場合（ステップＳ２２４：Ｎｏ）、撮像装置１は、ステップＳ２０８へ移行する。
【００９６】
ステップＳ２０１において、撮像装置１が撮影モードに設定されていない場合（ステップＳ２０１：Ｎｏ）において、撮像装置１が再生モードに設定されていないとき（ステップＳ２２２：Ｎｏ）、撮像装置１は、ステップＳ２０８へ移行する。
【００９７】
以上説明した本発明の実施の形態２によれば、静止画像を半透明にした状態でライブビュー画像上に重畳して表示部１５に表示させ、タッチパネル１４８のタッチ位置に応じて静止画像の表示領域を移動させて表示部１５に表示させるので、直感的な操作で良好な構図に容易に変更することができる。
【００９８】
また、本発明の実施の形態２によれば、旅先で通りすがりの人にお願いして撮影を行ってもらった場合において、撮影された撮影画像に所望の背景の建物が切れているときであっても、所望の背景の建物を入れた構図に変更することができる。
【００９９】
（その他の実施の形態）
ここまで、本発明を実施するための形態を説明してきたが、本発明は上述した実施の形態によってのみ限定されるべきものではない。
【０１００】
たとえば、本発明において、表示部とは別に電子ビューファインダを本体部に設け、この電子ビューファインダにおいて本発明を適用するようにしてもよい。この場合には、表示部と電子ビューファインダとでライブビュー画像の見え方が異なるようにすればより好ましい。
【０１０１】
また、本発明においては、本体部とレンズ部とが一体的に形成されていてもよい。
【０１０２】
また、本発明にかかる撮像装置は、デジタル一眼レフカメラ以外にも、たとえばアクセサリ等を装着可能なデジタルカメラ、デジタルビデオカメラおよび撮影機能を有する携帯電話やタブレット型携帯機器等の電子機器にも適用することができる。
【０１０３】
なお、本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。すなわち、本明細書で記載したフローチャートにおける処理の順序は、矛盾のない範囲で変更することができる。
【０１０４】
このように、本発明は、ここでは記載していない様々な実施の形態を含みうるものであり、特許請求の範囲によって特定される技術的思想の範囲内で種々の設計変更等を行うことが可能である。
【符号の説明】
【０１０５】
１  撮像装置
２  本体部
３  レンズ部
４  シャッタ
５  シャッタ駆動部
６  撮像素子
７  撮像素子駆動部
８  信号処理部
９  Ａ／Ｄ変換部
１０  画像処理部
１１  ＡＥ処理部
１２  ＡＦ処理部
１３  画像圧縮展開部
１４  入力部
１５  表示部
１６  表示駆動部
１７  記録媒体
１８  メモリＩ／Ｆ
１９  ＳＤＲＡＭ
２０  Ｆｌａｓｈメモリ
２１  本体通信部
２２  バス
２３  制御部
３１  光学系
３２  レンズ駆動部
３３  絞り
３４  絞り駆動部
３５  レンズ操作部
３６  レンズＦｌａｓｈメモリ
３７  レンズ通信部
３８  レンズ制御部
１０１  画像合成部
１４１  電源スイッチ
１４２  レリーズスイッチ
１４３  削除スイッチ
１４４  操作スイッチ
１４５  メニュースイッチ
１４６  再生スイッチ
１４７  動画スイッチ
１４８  タッチパネル
２０１  プログラム記録部
２３１  表示制御部
【図１】
2014093732.tif 000003
【図２】
2014093732.tif 000004
【図３】
2014093732.tif 000005
【図４】
2014093732.tif 000006
【図５】
2014093732.tif 000007
【図６】
2014093732.tif 000008
【図７】
2014093732.tif 000009
【図８】
2014093732.tif 000010
【図９】
2014093732.tif 000011
【図１０】
2014093732.tif 000012